(57)【要約】【課題】施設や機器のセキュリティを確保するため、鍵、暗証番号やパスワードを用いずに、正当な利用者に対してのみロック及びアンロックの制御を可能にする。【解決手段】施設や機器のロックを試みた利用者２０をロック検知部６で検知した際に、該利用者２０が所持する複数のＩＤ情報発信源２０Ａ〜２０ＥのＩＤ情報Ａ〜ＥをＩＤ読取部１で読み取り、ＩＤ記録部２へＩＤ情報２Ａ〜２Ｅとして記録する。しかる後、利用者２０が扉や機器等のアンロックを試みたことをロック検知部７で検知した際に、該利用者２０が所持する複数のＩＤ情報発信源２０Ａ〜２０ＥのＩＤ情報Ａ〜ＥをＩＤ読取部１で読み取り、ＩＤ記録部２に記録されているＩＤ情報２Ａ〜２ＥとそれぞれＩＤ検証部３で比較し、全て、又は、予め定めた閾値以上の個数又は割合で、両者のＩＤ情報が一致した場合、該利用者２０は正当な利用者と見なして、ロック制御部４で施設や機器をアンロックする。【選択図】図１
2005282225.tif 000002
【特許請求の範囲】
【請求項１】
セキュリティを確保するために、利用者が行おうとする施設や機器のロック及びアンロックを制御するロック制御システムにおいて、利用者が所持する複数のＩＤ情報発信源よりそれぞれのＩＤ情報を読み取ることができるＩＤ読取部と、該ＩＤ読取部により読み取った複数のＩＤ情報を該利用者の記録ＩＤ情報として記録することができるＩＤ記録部と、前記ＩＤ読取部により読み取ったＩＤ情報と前記ＩＤ記録部に記録されている前記記録ＩＤ情報とが一致するか否かにより利用者の検証が成功したか失敗したかを検証するＩＤ検証部と、該ＩＤ検証部により前記ＩＤ情報と前記記録ＩＤ情報とが一致しているとして利用者の検証が成功した場合に、施設や機器のロックやアンロックを制御することが可能なロック制御部と、利用者がロック又はアンロックを試みたことを検知するロック検知部とを備え、前記ロック検知部により利用者が施設や機器のロックを試みたことを検知した際に、該利用者が所持する複数のＩＤ情報発信源からのＩＤ情報を前記ＩＤ読取部により読み取って、前記ＩＤ記録部に前記記録ＩＤ情報として記録し、前記ロック検知部により利用者が施設や機器のアンロックを試みたことを検知した際に、該利用者が所持する複数のＩＤ情報発信源からのＩＤ情報を前記ＩＤ読取部により読み取り、前記ＩＤ記録部に記録されている該利用者の前記記録ＩＤ情報のそれぞれと完全に一致するか否かを前記ＩＤ検証部により比較し、完全に一致した場合に該利用者の検証が成功したものとして、前記ロック制御部により施設や機器のアンロックを行うことを特徴とするロック制御システム。
【請求項２】
請求項１に記載のロック制御システムにおいて、前記ロック検知部により利用者が施設や機器のアンロックを試みたことを検知した際に、前記ＩＤ検証部により該利用者の検証が成功したか失敗したかを検証する場合、前記ＩＤ読取部により読み取られた該利用者の複数のＩＤ情報発信源からのＩＤ情報と、前記ＩＤ記録部に記録されている前記記録ＩＤ情報のそれぞれとが完全に一致するか否かを識別する代わりに、予め定めた或る閾値以上の個数又は割合で、該利用者の複数のＩＤ情報発信源からのＩＤ情報と前記ＩＤ記録部に記録されている該利用者の前記記録ＩＤ情報とが一致しているか否かを識別し、前記閾値以上の個数又は割合で一致していた場合に該利用者の検証が成功したものとして、前記ロック制御部により施設や機器のアンロックを行うことを特徴とするロック制御システム。
【請求項３】
請求項２に記載のロック制御システムにおいて、利用者が任意の情報を入力して前記閾値に設定することができる操作部を備え、利用者が該操作部を用いて前記閾値の値を任意の値に設定することができることを特徴とするロック制御システム。
【請求項４】
請求項２又は３に記載のロック制御システムにおいて、前記ロック検知部により利用者が施設や機器のアンロックを試みたことを検知した際に、該利用者の複数のＩＤ情報発信源からのＩＤ情報と前記ＩＤ記録部に記録されている前記記録ＩＤ情報とが、前記閾値以上の個数又は割合で一致して該利用者の検証が成功したものとした場合に、該利用者の複数のＩＤ情報発信源からのＩＤ情報と該利用者の前記ＩＤ記録部に記録されている前記記録ＩＤ情報とで一致していないＩＤ情報については、該利用者のＩＤ情報発信源からのＩＤ情報を前記記録ＩＤ情報として記録し直すことを特徴とするロック制御システム。
【請求項５】
請求項１に記載のロック制御システムにおいて、当該ロック制御システムを複数の利用者が使用することが可能であり、前記ＩＤ読取部が、前記ロック検知部により利用者が施設や機器のロックを試みたことを検知した際に、複数の利用者がそれぞれ所持する複数のＩＤ情報発信源よりそれぞれのＩＤ情報を読み取り、かつ、前記ＩＤ記録部が、前記ＩＤ読取部により読み取られた複数の利用者それぞれのＩＤ情報を、前記記録ＩＤ情報として利用者毎に別々に記録することが可能であり、また、前記ロック検知部により利用者が施設や機器のアンロックを試みたことを検知した際に、前記ＩＤ検証部により該利用者の検証が成功したか失敗したかを検証する場合、該利用者が所持する複数のＩＤ情報発信源からのＩＤ情報を前記ＩＤ読取部により読み取り、前記ＩＤ記録部に記録されているいずれかの利用者の前記記録ＩＤ情報のそれぞれと完全に一致するか否かを前記ＩＤ検証部により比較し、完全に一致した場合に該利用者の検証が成功したものとして、前記ロック制御部により施設や機器のアンロックを行うことを特徴とするロック制御システム。
【請求項６】
請求項５に記載のロック制御システムにおいて、前記ロック検知部により利用者が施設や機器のアンロックを試みたことを検知した際に、前記ＩＤ検証部により該利用者の検証が成功したか失敗したかを検証する場合、前記ＩＤ読取部により読み取られた該利用者の複数のＩＤ情報発信源からのＩＤ情報と、前記ＩＤ記録部に記録されているいずれかの利用者の前記記録ＩＤ情報のそれぞれとが完全に一致するか否かを識別する代わりに、予め定めた或る閾値以上の個数又は割合で、該利用者の複数のＩＤ情報発信源からのＩＤ情報と前記ＩＤ記録部に記録されているいずれかの利用者の前記記録ＩＤ情報とが一致しているか否かを識別し、前記閾値以上の個数又は割合で一致していた場合に該利用者の検証が成功したものとして、前記ロック制御部により施設や機器のアンロックを行うことを特徴とするロック制御システム。
【請求項７】
請求項６に記載のロック制御システムにおいて、利用者が任意の情報を入力して前記閾値に設定することができる操作部を備え、利用者が該操作部を用いて前記閾値の値を任意の値に設定することができることを特徴とするロック制御システム。
【請求項８】
請求項６又は７に記載のロック制御システムにおいて、前記ロック検知部により利用者が施設や機器のアンロックを試みたことを検知した際に、該利用者の複数のＩＤ情報発信源からのＩＤ情報と前記ＩＤ記録部に記録されているいずれかの利用者の前記記録ＩＤ情報とが、前記閾値以上の個数又は割合で一致して該利用者の検証が成功したものとした場合に、該利用者の複数のＩＤ情報発信源からのＩＤ情報と、前記ＩＤ記録部に記録されているいずれかの利用者の前記記録ＩＤ情報のうち、検証が成功したものとした該利用者の前記記録ＩＤ情報とで一致していないＩＤ情報については、該利用者のＩＤ情報発信源からのＩＤ情報を前記記録ＩＤ情報として記録し直すことを特徴とするロック制御システム。
【請求項９】
請求項１乃至８のいずれかに記載のロック制御システムにおいて、前記ＩＤ記録部に記録されている前記記録ＩＤ情報のうち、予め定めた或る無使用判別期間の間、前記ＩＤ読取部により読み取られたＩＤ情報と一致することがなかった記録ＩＤ情報を自動的に前記ＩＤ記録部から削除することができることを特徴とするロック制御システム。
【請求項１０】
請求項９に記載のロック制御システムにおいて、利用者が任意の情報を入力して前記無使用判別期間に設定することができる操作部を備え、利用者が該操作部を用いて前記無使用判別期間の期間を任意の値に設定することができることを特徴とするロック制御システム。
【請求項１１】
請求項１乃至１０のいずれかに記載のロック制御システムにおいて、利用者が、前記ＩＤ記録部に記録されている前記記録ＩＤ情報のうち、任意の記録ＩＤ情報を設定変更したり、削除することができる操作部を備え、利用者が該操作部を用いて前記ＩＤ記録部に記録されている前記記録ＩＤ情報の一部又は全部を削除することができることを特徴とするロック制御システム。
【請求項１２】
請求項１乃至１１のいずれかに記載のロック制御システムにおいて、前記ＩＤ記録部に記録されている利用者の前記記録ＩＤ情報を、ロック及びアンロックの対象とする施設や機器毎にそれぞれ対応させて別々に前記ＩＤ記録部に記録することができることを特徴とするロック制御システム。
【請求項１３】
請求項１乃至１２のいずれかに記載のロック制御システムにおいて、前記ＩＤ検証部において利用者の検証が成功したか失敗したかを示す情報を制御信号として外部に出力することができ、外部に出力された該制御信号に基づいて、別途設けられている他のロック制御システムに関する使用の可あるいは不可を制御することができるようにしたことを特徴とするロック制御システム。
【請求項１４】
請求項１乃至１３のいずれかに記載のロック制御システムにおいて、利用者が所持する前記ＩＤ情報発信源が、ＲＦＩＤタグからなっていることを特徴とするロック制御システム。
【発明の詳細な説明】
【技術分野】
【０００１】
本発明は、ロック制御システムに関し、特に、機器のロック／アンロック、扉や窓等の施設やパーソナルコンピュータや携帯電話等の機器の施錠／開錠を行うロック制御システムに関する。
【背景技術】
【０００２】
従来、建物や車両などの施設における扉や窓等の施錠／開錠を行う際には、鍵を利用していた。また、鍵の代わりとしてＩＣカード等を利用して、扉や窓のような施設の施錠／開錠を行うシステムもある。
しかしながら、これらの従来の仕組みでは、鍵やＩＣカード等を紛失したり盗難にあったりした場合に、当該鍵やＩＣカードを不正に入手した他者が扉や窓等の施設の施錠／開錠可能となってしまう一方、本来の所有者である本人は、扉や窓等の施設の施錠／開錠が不可能となってしまうという問題があった。
【０００３】
一方、パーソナルコンピュータや携帯電話等の機器において、機器をロックする場合には、パスワードによる保護や、ハードウェアキー等が利用されていた。このうち、後者のハードウェアキーを利用する仕組みは、該ハードウェアキーが機器のコネクタに装着されていない場合には、機器にロックをかけ、一方、該ハードウェアキーが機器のコネクタに装着されている場合には、機器をアンロックするというものである。この場合にも、扉や窓等の施設における鍵の場合と同様に、紛失や盗難の問題があった。
【０００４】
特開２００２−７０３７７号公報「電子錠制御システム」では、ＩＣカードを利用した施錠／開錠システムにおいて、ＩＣカードを用いて開錠を行おうとする者に対して、暗証番号の入力を更に行わせることにより、セキュリティ性を高めるシステムについて記載されている。
【０００５】
しかしながら、暗証番号あるいはパスワードを利用したロック／施錠システムでは、暗証番号あるいはパスワードの漏洩や、忘れてしまうという危険性があり、また、暗証番号あるいはパスワードを入力するという手間が必要とされていた。更に、暗証番号あるいはパスワードの忘れや入力の手間を回避するために、利用者はこれらをごく簡単な情報にしてしまい、結果として、暗証番号あるいはパスワードの漏洩の危険性が高まるという問題があった。
【特許文献１】特開２００２−７０３７７号公報
【発明の開示】
【発明が解決しようとする課題】
【０００６】
本発明は、前述のような鍵やＩＣカードやハードウェアキーにおける紛失や盗難の問題、及び、暗証番号やパスワードにおける漏洩や手間の問題を解決するためになされたものであり、利用者は本人であることを示す複数のＩＤ情報をそれぞれ無線信号として発信することができる複数のＩＤ情報発信源を所持し、ロック（施錠）時に、利用者が所持している複数のＩＤ情報発信源よりそれぞれ発信されてくる複数のＩＤ情報を記憶しておき、アンロック（開錠）時に発信されてくるこれらと同一のＩＤ情報を読み取ることができない限り、アンロック（開錠）を不可能にすることにより、暗証番号あるいはパスワードを必要とせず、更には、鍵やＩＣカード等を用いることもなく、正当な利用者には、アンロック（開錠）を可能とし、不正な手段で入手した利用者には、アンロック（開錠）を不可能にすることを目的としている。
【課題を解決するための手段】
【０００７】
前述の目的を達成するために、以下のような各技術手段から構成されている。
まず、第１の技術手段は、セキュリティを確保するために、利用者が行おうとする施設や機器のロック及びアンロックを制御するロック制御システムにおいて、利用者が所持する複数のＩＤ情報発信源よりそれぞれのＩＤ情報を読み取ることができるＩＤ読取部と、該ＩＤ読取部により読み取った複数のＩＤ情報を該利用者の記録ＩＤ情報として記録することができるＩＤ記録部と、前記ＩＤ読取部により読み取ったＩＤ情報と前記ＩＤ記録部に記録されている前記記録ＩＤ情報とが一致するか否かにより利用者の検証が成功したか失敗したかを検証するＩＤ検証部と、該ＩＤ検証部により前記ＩＤ情報と前記記録ＩＤ情報とが一致しているとして利用者の検証が成功した場合に、施設や機器のロックやアンロックを制御することが可能なロック制御部と、利用者がロック又はアンロックを試みたことを検知するロック検知部とを備え、前記ロック検知部により利用者が施設や機器のロックを試みたことを検知した際に、該利用者が所持する複数のＩＤ情報発信源からのＩＤ情報を前記ＩＤ読取部により読み取って、前記ＩＤ記録部に前記記録ＩＤ情報として記録し、前記ロック検知部により利用者が施設や機器のアンロックを試みたことを検知した際に、該利用者が所持する複数のＩＤ情報発信源からのＩＤ情報を前記ＩＤ読取部により読み取り、前記ＩＤ記録部に記録されている該利用者の前記記録ＩＤ情報のそれぞれと完全に一致するか否かを前記ＩＤ検証部により比較し、完全に一致した場合に該利用者の検証が成功したものとして、前記ロック制御部により施設や機器のアンロックを行うことを特徴とする。
【０００８】
第２の技術手段は、前記第１の技術手段に記載のロック制御システムにおいて、前記ロック検知部により利用者が施設や機器のアンロックを試みたことを検知した際に、前記ＩＤ検証部により該利用者の検証が成功したか失敗したかを検証する場合、前記ＩＤ読取部により読み取られた該利用者の複数のＩＤ情報発信源からのＩＤ情報と、前記ＩＤ記録部に記録されている前記記録ＩＤ情報のそれぞれとが完全に一致するか否かを識別する代わりに、予め定めた或る閾値以上の個数又は割合で、該利用者の複数のＩＤ情報発信源からのＩＤ情報と前記ＩＤ記録部に記録されている該利用者の前記記録ＩＤ情報とが一致しているか否かを識別し、前記閾値以上の個数又は割合で一致していた場合に該利用者の検証が成功したものとして、前記ロック制御部により施設や機器のアンロックを行うことを特徴とする。
【０００９】
第３の技術手段は、前記第２の技術手段に記載のロック制御システムにおいて、利用者が任意の情報を入力して前記閾値に設定することができる操作部を備え、利用者が該操作部を用いて前記閾値の値を任意の値に設定することができることを特徴とする。
【００１０】
第４の技術手段は、前記第２又は第３の技術手段に記載のロック制御システムにおいて、前記ロック検知部により利用者が施設や機器のアンロックを試みたことを検知した際に、該利用者の複数のＩＤ情報発信源からのＩＤ情報と前記ＩＤ記録部に記録されている前記記録ＩＤ情報とが、前記閾値以上の個数又は割合で一致して該利用者の検証が成功したものとした場合に、該利用者の複数のＩＤ情報発信源からのＩＤ情報と該利用者の前記ＩＤ記録部に記録されている前記記録ＩＤ情報とで一致していないＩＤ情報については、該利用者のＩＤ情報発信源からのＩＤ情報を前記記録ＩＤ情報として記録し直すことを特徴とする。
【００１１】
第５の技術手段は、前記第１の技術手段に記載のロック制御システムにおいて、当該ロック制御システムを複数の利用者が使用することが可能であり、前記ＩＤ読取部が、前記ロック検知部により利用者が施設や機器のロックを試みたことを検知した際に、複数の利用者がそれぞれ所持する複数のＩＤ情報発信源よりそれぞれのＩＤ情報を読み取り、かつ、前記ＩＤ記録部が、前記ＩＤ読取部により読み取られた複数の利用者それぞれのＩＤ情報を、前記記録ＩＤ情報として利用者毎に別々に記録することが可能であり、また、前記ロック検知部により利用者が施設や機器のアンロックを試みたことを検知した際に、前記ＩＤ検証部により該利用者の検証が成功したか失敗したかを検証する場合、該利用者が所持する複数のＩＤ情報発信源からのＩＤ情報を前記ＩＤ読取部により読み取り、前記ＩＤ記録部に記録されているいずれかの利用者の前記記録ＩＤ情報のそれぞれと完全に一致するか否かを前記ＩＤ検証部により比較し、完全に一致した場合に該利用者の検証が成功したものとして、前記ロック制御部により施設や機器のアンロックを行うことを特徴とする。
【００１２】
第６の技術手段は、前記第５の技術手段に記載のロック制御システムにおいて、前記ロック検知部により利用者が施設や機器のアンロックを試みたことを検知した際に、前記ＩＤ検証部により該利用者の検証が成功したか失敗したかを検証する場合、前記ＩＤ読取部により読み取られた該利用者の複数のＩＤ情報発信源からのＩＤ情報と、前記ＩＤ記録部に記録されているいずれかの利用者の前記記録ＩＤ情報のそれぞれとが完全に一致するか否かを識別する代わりに、予め定めた或る閾値以上の個数又は割合で、該利用者の複数のＩＤ情報発信源からのＩＤ情報と前記ＩＤ記録部に記録されているいずれかの利用者の前記記録ＩＤ情報とが一致しているか否かを識別し、前記閾値以上の個数又は割合で一致していた場合に該利用者の検証が成功したものとして、前記ロック制御部により施設や機器のアンロックを行うことを特徴とする。
【００１３】
第７の技術手段は、前記第６の技術手段に記載のロック制御システムにおいて、利用者が任意の情報を入力して前記閾値に設定することができる操作部を備え、利用者が該操作部を用いて前記閾値の値を任意の値に設定することができることを特徴とする。
【００１４】
第８の技術手段は、前記第６又は第７の技術手段に記載のロック制御システムにおいて、前記ロック検知部により利用者が施設や機器のアンロックを試みたことを検知した際に、該利用者の複数のＩＤ情報発信源からのＩＤ情報と前記ＩＤ記録部に記録されているいずれかの利用者の前記記録ＩＤ情報とが、前記閾値以上の個数又は割合で一致して該利用者の検証が成功したものとした場合に、該利用者の複数のＩＤ情報発信源からのＩＤ情報と、前記ＩＤ記録部に記録されているいずれかの利用者の前記記録ＩＤ情報のうち、検証が成功したものとした該利用者の前記記録ＩＤ情報とで一致していないＩＤ情報については、該利用者のＩＤ情報発信源からのＩＤ情報を前記記録ＩＤ情報として記録し直すことを特徴とする。
【００１５】
第９の技術手段は、前記第１乃至第８の技術手段のいずれかに記載のロック制御システムにおいて、前記ＩＤ記録部に記録されている前記記録ＩＤ情報のうち、予め定めた或る無使用判別期間の間、前記ＩＤ読取部により読み取られたＩＤ情報と一致することがなかった記録ＩＤ情報を自動的に前記ＩＤ記録部から削除することができることを特徴とする。
【００１６】
第１０の技術手段は、前記第９の技術手段に記載のロック制御システムにおいて、利用者が任意の情報を入力して前記無使用判別期間に設定することができる操作部を備え、利用者が該操作部を用いて前記無使用判別期間の期間を任意の値に設定することができることを特徴とする。
【００１７】
第１１の技術手段は、前記第１乃至第１０の技術手段のいずれかに記載のロック制御システムにおいて、利用者が、前記ＩＤ記録部に記録されている前記記録ＩＤ情報のうち、任意の記録ＩＤ情報を設定変更したり、削除することができる操作部を備え、利用者が該操作部を用いて前記ＩＤ記録部に記録されている前記記録ＩＤ情報の一部又は全部を削除することができることを特徴とする。
【００１８】
第１２の技術手段は、前記第１乃至第１１の技術手段のいずれかに記載のロック制御システムにおいて、前記ＩＤ記録部に記録されている利用者の前記記録ＩＤ情報を、ロック及びアンロックの対象とする施設や機器毎にそれぞれ対応させて別々に前記ＩＤ記録部に記録することができることを特徴とする。
【００１９】
第１３の技術手段は、前記第１乃至第１２の技術手段のいずれかに記載のロック制御システムにおいて、前記ＩＤ検証部において利用者の検証が成功したか失敗したかを示す情報を制御信号として外部に出力することができ、外部に出力された該制御信号に基づいて、別途設けられている他のロック制御システムに関する使用の可あるいは不可を制御することができるようにしたことを特徴とする。
【００２０】
第１４の技術手段は、前記第１乃至第１３の技術手段のいずれかに記載のロック制御システムにおいて、利用者が所持する前記ＩＤ情報発信源が、ＲＦＩＤタグからなっていることを特徴とする。
【発明の効果】
【００２１】
前述のごとき各技術手段のいずれかからなる本発明によれば、次のような効果を得ることができる。
即ち、利用者は、鍵やＩＣカードやハードウェアキー等といった物理的なものを特に必要とせず、扉や窓等の施設やパーソナルコンピュータや携帯電話等の機器のロック（施錠）を行った当事者即ち適正な利用者のみが、ロック（施錠）された施設や機器のアンロック（開錠）を行わせることができるようになり、セキュリティを確保しつつ、正当な利用者に対する利便性を高めることができる。
【００２２】
また、正当な利用者を識別するＩＤ情報を発信する複数のＩＤ情報発信源のうち、いくつかを紛失したりあるいは盗難されたりして所持できなくなったとしても、予め定めた閾値以上の個数又は割合のＩＤ情報発信源を所持している限り、正当な利用者は、ロック（施錠）された施設や機器のアンロック（開錠）を行うことができ、一方、ＩＤ情報発信源を不正に入手したとしても、前記閾値未満の個数又は割合しか入手できない不正な利用者は、ロック（施錠）された施設や機器のアンロック（開錠）することができず、正当な利用者に対する利便性を更に向上させることができると共に、セキュリティ性も確保することができる。
【００２３】
更に、暗証番号やパスワード等の入力をする必要がないため、これらを創出し、記憶する、並びに、入力する手間が省け、また、これらが漏洩してしまう危険性も防ぐことができるため、利用者に対する利便性を更に向上させると共に、更にセキュリティ性も高めることができる。
【００２４】
更には、本ロック制御システムから利用者の検証が成功したか失敗したかを制御信号として外部に出力することにより、他のロック制御システムとの併用も可能となり、セキュリティ性を更に高めることができる。
【発明を実施するための最良の形態】
【００２５】
本発明に係るロック制御システムは、施設や機器のセキュリティを確保するために、利用者が行おうとする施設や機器のロック及びアンロックを制御するロック制御システムにおいて、利用者が所持する複数のＩＤ情報発信源よりそれぞれのＩＤ情報を読み取ることができるＩＤ読取部と、該ＩＤ読取部により読み取った複数のＩＤ情報を該利用者の記録ＩＤ情報として記録することができるＩＤ記録部と、前記ＩＤ読取部により読み取ったＩＤ情報と前記ＩＤ記録部に記録されている前記記録ＩＤ情報とが一致するか否かにより利用者の検証が成功したか失敗したかを検証するＩＤ検証部と、該ＩＤ検証部により前記ＩＤ情報と前記記録ＩＤ情報とが一致しているとして利用者の検証が成功した場合に、施設や機器のロックやアンロックを制御することが可能なロック制御部と、利用者がロック又はアンロックを試みたことを検知するロック検知部とを備えているものである。
【００２６】
ここで、前記ロック検知部により利用者が施設や機器のロック（施錠）を試みたことを検知した際に、該利用者が所持する複数のＩＤ情報発信源からのＩＤ情報を前記ＩＤ読取部により読み取って、前記ＩＤ記録部に前記記録ＩＤ情報として記録し、前記ロック検知部により利用者が施設や機器のアンロック（開錠）を試みたことを検知した際に、該利用者が所持する複数のＩＤ情報発信源からのＩＤ情報を前記ＩＤ読取部により読み取り、前記ＩＤ記録部に記録されている該利用者の前記記録ＩＤ情報のそれぞれと完全に一致するか否かを前記ＩＤ検証部により比較し、完全に一致した場合に該利用者の検証が成功したものとして、前記ロック制御部により施設や機器のアンロック（開錠）を行うことを特徴としている。もって、暗証番号あるいはパスワードを必要とせず、更には、鍵やＩＣカード等を用いることもなく、正当な利用者には、アンロック（開錠）を可能とし、不正な手段で入手した利用者には、アンロック（開錠）を不可能にすることにより、正当な利用者に対する利便を向上させると共に、セキュリティ性を高めることも可能としている。
【００２７】
次に、本発明の実施例について、図面を用いて詳細に説明する。
図１は、本発明に係るロック制御システムの機器構成の一例を示すブロック構成図である。図１において、２０は、本ロック制御システム１０の利用者であり、無線信号を発信する複数のＩＤ情報発信源１〜５  ２０Ａ〜２０Ｅが、それぞれ、例えば、利用者２０の頭部に被っている帽子、胸部に付けているネクタイ、腹部を覆っているシャツ、掌部を覆っている手袋、脚部に履いている靴などに貼着されている。これらの複数のＩＤ情報発信源は、例えばＲＦＩＤ（Ｒａｄｉｏ  Ｆｒｅｑｕｅｎｃｙ  ＩＤｅｎｔｉｆｉｃａｔｉｏｎ）タグのようなものであり、所持している利用者を特定するためのＩＤ情報が記録されている。但し、本発明のＩＤ情報発信源１〜５  ２０Ａ〜２０Ｅとしては、ＲＦＩＤに限定するものではなく、利用者２０を特定するためのＩＤ情報として、所持している該利用者２０から複数のＩＤ情報を無線信号として同時に送信して該利用者２０を識別できるものであれば、一般的な無線タグや無線用バーコードを始め、如何なる形態のＩＤ識別手段であってもかまわない。
【００２８】
図１のロック制御システム１０において、１は、ＩＤ情報発信源１〜５  ２０Ａ〜２０Ｅ等の複数のＩＤ情報発信源から発信されてくるそれぞれのＩＤ情報を読み取ることができるＩＤ読取部である。２は、ＩＤ読取部１により読み取られたＩＤ情報を該利用者２０の記録ＩＤ情報として記録することができるＩＤ記録部である。３は、ＩＤ読取部１により読み取られたＩＤ情報が、ＩＤ記録部２に記録されているＩＤ情報（即ち、記録ＩＤ情報）と一致するか否かにより、利用者２０の検証に成功したか失敗したかを検証するＩＤ検証部である。
【００２９】
また、図１のロック制御システム１０において、４は、ＩＤ検証部３において、ＩＤ読取部１からのＩＤ情報とＩＤ記録部２に記録されている利用者２０の記録ＩＤ情報とが一致しているとして、該利用者２０の検証に成功した場合に、施設や機器のロックやアンロックの制御を行うロック制御部である。５は、ＩＤ記録部２に記録されているＩＤ情報、並びに、ＩＤ検証部３の検証条件を、利用者２０が所望する任意の状態に操作することができる操作部である。６は、利用者２０が施設や機器のロック（施錠）あるいはアンロック（開錠）を試みたことを検知するロック検知部である。
【００３０】
図１に示すロック制御システム１０の動作について次に説明する。
まず、利用者２０が、扉や窓等の施設に施錠を行う、あるいは、パーソナルコンピュータや携帯電話等の機器のロックを行う場合について説明する。この場合、ロック検知部６は、利用者２０の操作あるいは存在を検知して、利用者２０がロック（施錠）を試みたことをＩＤ読取部１に対して通知する。これを受けて、ＩＤ読取部１は、利用者２０が所持しているＩＤ情報発信源１〜５  ２０Ａ〜２０Ｅから、それぞれのＩＤ情報Ａ〜Ｅを読み取り、ＩＤ記録部２へ、ロック（施錠）操作を試みた利用者２０を特定するＩＤ情報２Ａ〜２Ｅとして（即ち、利用者２０の記録ＩＤ情報として）記録する。ここで、ロック検知部６は、扉や窓等の施設あるいはパーソナルコンピュータや携帯電話等の機器の釦や鍵等に対する利用者２０の能動的な動作によって、ロック（施錠）あるいはアンロック（開錠）の試みを検知しても良いし、あるいは、扉や窓等の施設あるいはパーソナルコンピュータや携帯電話等に利用者２０が或る一定の距離以内に近づいた場合に、自動的に、当該利用者２０のロック（施錠）あるいはアンロック（開錠）の試みを検知するようにしても良い。
【００３１】
次に、利用者２０が、扉や窓等の施設に開錠を行う、あるいは、パーソナルコンピュータや携帯電話等の機器のアンロックを行う場合について説明する。この場合、ロック検知部７は、利用者２０の操作あるいは存在を検知して、利用者２０がアンロック（開錠）を試みたことをＩＤ読取部１に対して通知する。これを受けて、ＩＤ読取部１は、利用者２０が所持しているＩＤ情報発信源１〜５  ２０Ａ〜２０Ｅから、それぞれのＩＤ情報Ａ〜Ｅを読み取り、ＩＤ検証部３に送出する。ＩＤ検証部３は、ＩＤ読取部１から送出されてきたＩＤ情報Ａ〜Ｅが、ＩＤ記録部２に記録されている、ロック（施錠）操作を行った利用者２０を特定しているＩＤ情報２Ａ〜２Ｅ（即ち、利用者２０の記録ＩＤ情報）と一致するか否かにより、該利用者２０のアンロック（開錠）操作を許可するか否かを検証する。
【００３２】
ＩＤ検証部３の検証結果として、ＩＤ読取部１から送出されてきた全てのＩＤ情報Ａ〜Ｅが、ＩＤ記録部２に記録されているＩＤ情報２Ａ〜２Ｅと一致していた場合、即ち、利用者２０の検証に成功した場合、アンロック（開錠）を試みている利用者２０は、ロック（施錠）を行った利用者と同一人であると見なして、ロック制御部４に対して、ＩＤ検証部３にてＩＤ検証が得られた旨を通知する。これを受け付けたロック制御部４は、扉や窓等の施設あるいはパーソナルコンピュータや携帯電話等の機器のアンロック（開錠）を行う。
【００３３】
一方、ＩＤ検証部３の検証結果として、ＩＤ読取部１から送出されてきたＩＤ情報Ａ〜Ｅのうち、少なくとも１つが、ＩＤ記録部２に記録されているＩＤ情報２Ａ〜２Ｅと一致していなかった場合、即ち、利用者２０の検証に失敗した場合、アンロック（開錠）を試みている利用者２０は、ロック（施錠）を行った利用者と異なる人物と見なす。この場合、ＩＤ検証部３は、ロック制御部４に対して検証が得られた旨の通知を伝えないので、その結果、ロック制御部４により、扉や窓等の施設あるいはパーソナルコンピュータや携帯電話等の機器のアンロック（開錠）が行われない。
【００３４】
以上のように、扉や窓等の施設あるいはパーソナルコンピュータや携帯電話等の機器のロック（施錠）を行った利用者のみが、該当する扉や窓等の施設あるいはパーソナルコンピュータや携帯電話等の機器のアンロック（開錠）を行うことができる。
【００３５】
ここで、利用者２０のＩＤ情報発信源１〜５  ２０Ａ〜２０Ｅは、扉や窓等の施設あるいはパーソナルコンピュータや携帯電話等の機器のロック（施錠）時とアンロック（開錠）時とにおいて、必ずしも、全てに亙って全く同じものが揃っているとは限らない。例えば、ＩＤ読取部１が、利用者２０のＩＤ情報発信源１〜５  ２０Ａ〜２０Ｅのうち、一部のＩＤ情報発信源からのＩＤ情報の読み取りに失敗する場合もあり得る。即ち、利用者２０がロック（施錠）した扉や窓等の施設あるいはパーソナルコンピュータや携帯電話等の機器のアンロック（開錠）を試みた際に、ＩＤ読取部１により、例えば、利用者２０のＩＤ情報発信源１〜５  ２０Ａ〜２０Ｅのうち、ＩＤ情報発信源１〜４  ２０Ａ〜２０ＤのＩＤ情報Ａ〜Ｄしか読み取ることができず、ＩＤ情報発信源５  ２０ＥのＩＤ情報Ｅを読み取ることができなかったという場合も想定される。
【００３６】
そこで、ＩＤ検証部３によるＩＤ検証を行う際に、ＩＤ読取部１から送出されてきたＩＤ情報Ａ〜Ｅのうち、予め定めた或る閾値以上の個数又は割合のＩＤ情報が、ＩＤ記録部２に記録されている、即ち、ロック（施錠）操作を行った利用者２０として記録されているＩＤ情報２Ａ〜２Ｅと一致していた場合には、アンロック（開錠）を行おうとしている利用者２０は、ロック（施錠）を行った利用者と同一人であると見なして、ロック制御部４に対して、ＩＤ検証部３にてＩＤ検証が得られた旨を通知するようにしても良い。而して、これを受け付けたロック制御部４は、扉や窓等の施設あるいはパーソナルコンピュータや携帯電話等の機器のアンロック（開錠）を行うようにしても良い。
【００３７】
即ち、予め定めた前記閾値として例えば８０％とした場合においては、前述の例のように、利用者２０が扉や窓等の施設あるいはパーソナルコンピュータや携帯電話等の機器のアンロック（開錠）を試みた時に、利用者２０のＩＤ情報発信源１〜５  ２０Ａ〜２０Ｅのうち、ＩＤ情報発信源１〜４  ２０Ａ〜２０Ｄしか読み取ることができず、対応するＩＤ情報Ａ〜Ｄのみが読み取られた場合であっても、利用者２０は、利用者２０が扉や窓等の施設あるいはパーソナルコンピュータや携帯電話等の機器のロック（施錠）を行った利用者と同一人であると見なされ、検証が得られた旨の通知をＩＤ検証部３から受け取ったロック制御部４により、アンロック（開錠）が行われる。
【００３８】
更に、扉や窓等の施設あるいはパーソナルコンピュータや携帯電話等の機器のロック（施錠）を試みた際に、ＩＤ読取部１により読み取られて、ＩＤ記録部２に記録されるＩＤ情報２Ａ〜２Ｅが、必ずしも、全てに亙って揃っているとは限らない。例えば、この際に、ＩＤ読取部１が利用者２０のＩＤ情報発信源１〜５  ２０Ａ〜２０Ｅのうち、一部のＩＤ情報発信源からのＩＤ情報の読み取りに失敗している場合もあり得る。
【００３９】
そこで、利用者２０が扉や窓等の施設あるいはパーソナルコンピュータや携帯電話等の機器のアンロック（開錠）を試みた時に、ＩＤ検証部３によるＩＤ検証を行う際に、ＩＤ記録部２に記録されているべきＩＤ情報２Ａ〜２Ｅ（利用者２０の記録ＩＤ情報）のうち、予め定めた或る閾値以上の個数又は割合の記録ＩＤ情報が、ＩＤ読取部１から送出されてきている、アンロック（開錠）を行おうとしている利用者２０のＩＤ情報Ａ〜Ｅと一致していた場合には、アンロック（開錠）を行おうとしている利用者２０は、ロック（施錠）を行った利用者と同一人であると見なして、ロック制御部４に対して、ＩＤ検証部３にてＩＤ検証が得られた旨を通知するようにしても良い。而して、これを受け付けたロック制御部４は、扉や窓等の施設あるいはパーソナルコンピュータや携帯電話等の機器のアンロック（開錠）を行うようにしても良い。
【００４０】
更には、ＩＤ読取部１からＩＤ検証部３に対して送出されてくるＩＤ情報Ａ〜Ｅ、あるいは、ＩＤ記録部２に記録されているＩＤ情報２Ａ〜２Ｅのいずれも、必ずしも、全てに亙って揃っているとは限らない。かくのごとき場合にも対処可能なように、ＩＤ情報Ａ〜ＥとＩＤ情報２Ａ〜２Ｅとの照合結果として、予め定めた或る閾値以上の個数又は割合のＩＤ情報について一致していることが検知された場合には、アンロック（開錠）を行おうとしている利用者２０は、ロック（施錠）を行った利用者と同一人であると見なして、ロック制御部４に対して、ＩＤ検証部３にてＩＤ検証が得られた旨を通知するようにしても良い。而して、これを受け付けたロック制御部４は、扉や窓等の施設あるいはパーソナルコンピュータや携帯電話等の機器のアンロック（開錠）を行うようにしても良い。
【００４１】
更に、前記閾値については、操作部５を介して利用者が任意の値に変更をすることができるようにしても良い。これによって、利用者によって、本ロック制御システム１０のセキュリティレベルを自由にコントロールすることができるようになる。
【００４２】
また、本ロック制御システム１０の正当な利用者は、必ずしも、１人のみとは限らなく、複数の利用者２０，２０′，…が利用する場合もある。この場合、扉や窓等の施設あるいはパーソナルコンピュータや携帯電話等の機器のロック（施錠）した利用者２０以外の正当な利用者２０′が、いずれかの扉や窓等の施設あるいはパーソナルコンピュータや携帯電話等の機器のアンロック（開錠）を試みることがある。
【００４３】
そこで、正当な利用者２０，２０′のそれぞれが過去に施設や機器のロック（施錠）を試みた際に、ＩＤ読取部１より読み取られてＩＤ記録部２に記録されるＩＤ情報について、それぞれの利用者２０，２０′毎に対象とするそれぞれの施設や機器に対応させてＩＤ情報２Ａ〜２Ｅ、２Ａ′〜２Ｅ′として記録しておくことができるようにする。（なお、それぞれの施設や機器に対応させて記録ＩＤ情報として記録することは、複数の利用者が利用する場合のみに限るものではなく、単一の利用者の場合であっても適用することができるようにしても良い。）そして、利用者２０が、いずれかの扉や窓等の施設あるいはパーソナルコンピュータや携帯電話等の機器のロック（施錠）を行った後、利用者２０′が、該当する扉や窓等の施設あるいはパーソナルコンピュータや携帯電話等の機器のアンロック（開錠）を試みた際に、ＩＤ検証部３は、ＩＤ読取部１から送出されてきた利用者２０′を示すＩＤ情報Ａ′〜Ｅ′が、ＩＤ記録部２に記録されている、該当する扉や窓等の施設あるいはパーソナルコンピュータや携帯電話等の機器のロック（施錠）操作を行った利用者２０を特定しているＩＤ情報２Ａ〜２Ｅと一致しているか否かを検証する。
【００４４】
ＩＤ検証部３の検証結果として、ＩＤ読取部１から送出されてきた全てのＩＤ情報Ａ′〜Ｅ′が、ＩＤ記録部２に記録されているＩＤ情報２Ａ〜２Ｅと一致していた場合には、即ち、利用者２０′の検証に成功した場合には、アンロック（開錠）を試みている利用者２０′は、当該施設や機器のロック（施錠）を行った利用者と同一人であると見なして、ロック制御部４に対して、ＩＤ検証部３にてＩＤ検証が得られた旨を通知する。これを受け付けたロック制御部４は、該当する扉や窓等の施設あるいはパーソナルコンピュータや携帯電話等の機器のアンロック（開錠）を行う。
【００４５】
しかし、ＩＤ検証部３の検証結果として、ＩＤ読取部１から送出されてきたＩＤ情報Ａ′〜Ｅ′のうち、少なくとも１つが、ＩＤ記録部２に記録されているＩＤ情報２Ａ〜２Ｅと一致していなかった場合には、即ち、利用者２０′の検証に失敗した場合には、アンロック（開錠）を試みている利用者２０′は、該当する扉や窓等の施設あるいはパーソナルコンピュータや携帯電話等の機器のロック（施錠）を行った利用者と異なる人物と見なす。この場合、ＩＤ検証部３は、ロック制御部４に対して検証が得られた旨の通知を伝えないので、その結果、ロック制御部４により、該当する扉や窓等の施設あるいはパーソナルコンピュータや携帯電話等の機器のアンロック（開錠）が行われない。
【００４６】
また、本ロック制御システム１０の正当な利用者２０，２０′が複数存在している場合、それぞれの利用者２０，２０′が扉や窓等の施設あるいはパーソナルコンピュータや携帯電話等の機器のロック（施錠）を試みた際に、それぞれの利用者２０，２０′のＩＤ情報発信源１〜５  ２０Ａ〜２０Ｅ，ＩＤ情報発信源１′〜５′  ２０Ａ′〜２０Ｅ′が、全てに亘って、ＩＤ読取部１により正常に読み取られて、ＩＤ記録部２に、それぞれのＩＤ情報２Ａ〜２Ｅ，２Ａ′〜２Ｅ′が、必ずしも、全てに亙って揃って記録されているとは限らない。例えば、ＩＤ読取部１が利用者２０，２０′のそれぞれのＩＤ情報発信源１〜５  ２０Ａ〜２０Ｅ，１′〜５′  ２０Ａ′〜２０Ｅ′のうち、一部のＩＤ情報発信源からのＩＤ情報の読み取りに失敗している場合もあり得る。
【００４７】
あるいは、利用者２０，２０′のいずれかが、扉や窓等の施設あるいはパーソナルコンピュータや携帯電話等の機器のアンロック（開錠）を行おうとした際に、ＩＤ読取部１により読み取られて、ＩＤ検証部３に送出されるＩＤ情報２Ａ〜２Ｅ，２Ａ′〜２Ｅ′のいずれかが、必ずしも、全てに亙って揃っているとは限らない。
【００４８】
そこで、例えば、利用者２０がロック（施錠）を行った扉や窓等の施設あるいはパーソナルコンピュータや携帯電話等の機器を、利用者２０′がアンロック（開錠）を行おうとした際に、ＩＤ検証部３によりＩＤ検証を行う場合、ＩＤ読取部１から送出されてきた利用者２０′を示すＩＤ情報Ａ′〜Ｅ′と、ＩＤ記録部２に記録されている利用者２０を示すＩＤ情報２Ａ〜２Ｅとのうち、予め定めた或る閾値以上の個数又は割合のＩＤ情報について一致していることが検知された場合には、アンロック（開錠）を行おうとしている利用者２０′は、ロック（施錠）を行った利用者と同一人であると見なして、ロック制御部４に対して、ＩＤ検証部３にてＩＤ検証が得られた旨を通知するようにしても良い。而して、これを受け付けたロック制御部４は、扉や窓等の施設あるいはパーソナルコンピュータや携帯電話等の機器のアンロック（開錠）を行うようにしても良い。
【００４９】
更に、前記閾値については、操作部５を介して利用者が任意の値に変更をすることができるようにしても良い。これによって、利用者によって、本ロック制御システム１０のセキュリティレベルを自由にコントロールすることができるようになる。
【００５０】
また、単一の利用者の場合であっても、複数の利用者の場合であっても、前記閾値以上の個数又は割合のＩＤ情報が、ＩＤ記録部２に記録されている過去に読み取られたＩＤ情報と一致し、アンロック（開錠）を行おうとしている利用者がロック（施錠）を行った利用者と同一人であると見なした場合（即ち、アンロック（開錠）を行おうとしている利用者の検証に成功した場合）であって、一致していないＩＤ情報が存在していた場合、一致していないＩＤ情報については、ＩＤ読取部１から送出されてきたＩＤ情報を記録ＩＤ情報としてＩＤ記録部２へ保存し直して、ＩＤ記録部２の記録内容を変更するようにし、以降のＩＤ検証部３のＩＤ検証時には、変更されたＩＤ記録部２の記録ＩＤ情報を用いてＩＤ情報の検証を行うようにしても良い。
【００５１】
ここで、ＩＤ読取部１より過去に読み取られたＩＤ情報を記録ＩＤ情報としてＩＤ記録部２に記録しておいた場合に、例えば、正当な利用者２０が所持していたＩＤ情報発信源１〜５  ２０Ａ〜２０Ｅのいずれかを紛失や盗難にあったりしても、該利用者２０が既に所持していなくなったＩＤ情報発信源１〜５  ２０Ａ〜２０ＥのＩＤ情報Ａ〜ＥのいずれかがＩＤ情報２Ａ〜２Ｅ（記録ＩＤ情報）としてＩＤ記録部２に記録された状態のままになっていることがある。このように、正当な利用者２０が既に所持しなくなっているＩＤ情報２Ａ〜２Ｅのいずれかが、ＩＤ記録部２にいつまでも記録されたままになっているという場合があり、かくのごとき事態は、セキュリティ上から見て、余り好ましくない。
【００５２】
そこで、ＩＤ記録部２に記録されているＩＤ情報２Ａ〜２Ｅのうち、予め定めた一定の無使用判別期間の間に亙って、ＩＤ読取部１により読み取られたＩＤ情報と一致することが無かった記録ＩＤ情報については、正当な利用者が既に所持しなくなったＩＤ発信源１〜５  ２０Ａ〜２０Ｅから過去において発せられていたＩＤ情報であると見なして、ＩＤ記録部２から該当する記録ＩＤ情報を削除するようにしても良い。
【００５３】
また、正当な利用者２０が操作部５を利用して、前述の無使用判別期間の期間を任意の値に設定したり、変更することができるようにしても良い。
あるいは、不正な利用者による悪用を防ぐというセキュリティ面を考慮して、正当な利用者２０が操作部５を利用して、ＩＤ記録部２に記録されているＩＤ情報２Ａ〜２Ｅの一部又は全部を削除できるようにしても良く、例えば、該利用者２０自身が既に所持しなくなったＩＤ情報発信源から発せられるＩＤ情報を、全て削除できるようにしても良い。
【００５４】
更に、ロックシステムの更なるセキュリティレベルを高めるために、本ロック制御システム１０の検証結果を、利用者の検証の成功あるいは失敗を示す制御信号として外部に出力することにより、例えば鍵やＩＣカード等を用いて最終的なアンロック（開錠）を行う他のロック制御システムの利用を許可するか不許可にするかを制御するために使用しても良い。即ち、本ロック制御システム１０のＩＤ検証部３において利用者のＩＤ検証に成功した場合に、ロック制御部４において、直ちに、該当する扉や窓等の施設あるいはパーソナルコンピュータや携帯電話等の機器のアンロック（開錠）を行うのではなく、ロック制御部４の検証結果を、鍵やＩＣカード等を用いてアンロック（開錠）を行う他のロック制御システムに対して、利用者の検証の成功を示す制御信号として外部出力することにより、ＩＤ検証部３のＩＤ検証に成功した後、初めて、前記他のロック制御システムを使用できるような状態に移行させ、前記他のロック制御システムにおいて鍵やＩＣカード等を用いてアンロック（開錠）するか否かを更に制御させるようにしても良い。この場合、ＩＤ検証部３による利用者のＩＤ検証に失敗した場合には、失敗を示す制御信号が出力される（又は、何らの制御信号も出力されない）ことになり、当然のことながら、前記他のロック制御システムは使用することができない状態のままになる。
【００５５】
なお、本発明に係るロック制御システム１０に適用するＩＤ情報発信源については、前述のように、ＲＦＩＤタグを用いることにしても良い。該ＲＦＩＤタグは、今後様々な物品に搭載される等更なる普及が期待されており、従って、衣服を始め、利用者が身に着けている様々な物品に貼付されようになるものと考えられる。本発明においても、利用者を特定するために、このようなＲＦＩＤタグを利用することにすれば、ＩＣカードのような利用者特定用のものを別途用意することなく、また、安価に本発明を実現することができる。
【図面の簡単な説明】
【００５６】
【図１】本発明に係るロック制御システムの機器構成の一例を示すブロック構成図である。
【符号の説明】
【００５７】
１…ＩＤ読取部、２…ＩＤ記録部、２Ａ〜２Ｅ，２Ａ′〜２Ｅ′…ＩＤ情報（記録ＩＤ情報）、３…ＩＤ検証部、４…ロック制御部、５…操作部、６…ロック検知部、１０…ロック制御システム、２０，２０′…利用者、２０Ａ〜２０Ｅ…ＩＤ情報発信源１〜５、２０Ａ′〜２０Ｅ′…ＩＤ情報発信源１′〜５′。
【図１】
2005282225.tif 000003